(57)【要約】【課題】使用者の個性や生理状態に応じて発光状態の制御を行うことが可能な発光装置を提供すること。【解決手段】本発明の発光装置は、発光体と、使用者の生体情報を取得する生体情報取得手段と、取得された生体情報に基づき前記発光体の発光状態を変化させる発光制御手段とを備えている。これにより、使用者の生体情報に基づいて発光体の発光状態を変化させることが可能となり、使用者毎にその個性や生理状態に応じた適切なヒーリング効果を得ることができる。【選択図】        図１
2004259487.tif 000002
【特許請求の範囲】
【請求項１】
発光体と、使用者の生体情報を取得する生体情報取得手段と、取得された生体情報に基づき前記発光体の発光状態を変化させる発光制御手段とを備えることを特徴とする発光装置。
【請求項２】
前記生体情報取得手段が、使用者の脈拍又は心拍を検知することを特徴とする請求項１記載の発光装置。
【請求項３】
前記生体情報取得手段が、使用者の呼吸を検知することを特徴とする請求項１記載の発光装置。
【請求項４】
前記生体情報取得手段が、使用者の血圧を検知することを特徴とする請求項１記載の発光装置。
【請求項５】
前記生体情報取得手段が、使用者の発汗を検知することを特徴とする請求項１記載の発光装置。
【請求項６】
前記生体情報取得手段が、使用者の手指表面から脈拍を検知することを特徴とする請求項１又は２記載の発光装置。
【請求項７】
前記発光制御手段が、取得された生体情報に基づき前記発光体の照度を変化させることを特徴とする請求項１乃至６記載の発光装置。
【請求項８】
前記発光制御手段が、発光状態を変化させる制御を開始してからの経過時間に応じて、前記発光状態を変更することを特徴とする請求項１乃至７記載の発光装置。
【発明の詳細な説明】
【０００１】
【発明の属する技術分野】
本発明は、使用者の生体情報に基づいて発光体の発光状態を制御可能な発光装置に関する。
【０００２】
【従来の技術】
近年、「１／ｆゆらぎ」を応用した照明器具等の発光装置が注目されている。「１／ｆゆらぎ」とは、周波数（ｆ）に対してパワースペクトルが逆比例関係にある波形をいい、照明器具等の発光装置では、「１／ｆゆらぎ」にて発光体の照度を変更することにより、ろうそくやキャンプファイヤーの炎の如くヒーリング（癒し）効果の高い照明を得ることができるとされ、高級レストランや料亭等の照明雰囲気の演出に利用されている（例えば、非特許文献１及び２参照。）。
【０００３】
【非特許文献１】
三菱電機株式会社  広報部、“三菱ゆらぎ照明器具発売のお知らせ”、［ｏｎｌｉｎｅ］、２０００年４月１３日、三菱電機株式会社ホームページニュースリリース  バックナンバー  ホームエレクトロニクス  ２０００年  ０４月１３日、［平成１５年２月１４日検索］、インターネット＜ＵＲＬ：ｈｔｔｐ：／／ｗｗｗ．ｍｉｔｓｕｂｉｓｈｉｅｌｅｃｔｒｉｃ．ｃｏ．ｊｐ／ｎｅｗｓ／２０００／０４１３−ａ．          ｈｔｍ＞
【非特許文献２】
ゆらぎ研究所、“１／ｆゆらぎ照明”、［ｏｎｌｉｎｅ］、２０００年１０月１２日（最終更新日）、ゆらぎ研究所ホームページ  事業案内  照明（三菱電気照明）、［平成１５年２月１４日検索］、インターネット＜          ＵＲＬ：ｈｔｔｐ：／／ｈｏｍｅ．ｋｓｐ．ｏｒ．ｊｐ／ｙｕｒａｇｉ／ｙｌｉｇｈｔ．ｈｔｍｌ＞
【０００４】
【発明が解決しようとする課題】
しかしながら、上記従来の発光装置では、発光体の照度変更はあくまでも予め設定された範囲で行われるものであり、発光装置を使用する個々人の個性や生理状態に対応するものではない。従って、店内や会場等の環境に合わせた照明雰囲気作りはできても、例えば発光装置を使用する個々人毎により適したヒーリング効果を得たい場合や、興奮状態にある使用者の心理状態を沈静化させたいような場合等、使用者の個性や生理状態を考慮すべき場合のヒーリング効果については、未だ十分とは言い難いものであった。
【０００５】
そこで、本発明は、上記のような従来の問題点を解決することを目的とするもので、使用者の個性や生理状態に応じて発光状態の制御を行うことが可能な発光装置を提供することを課題とする。
【０００６】
【課題を解決するための手段】
本発明の発光装置では、発光体と、使用者の生体情報を取得する生体情報取得手段と、取得された生体情報に基づき前記発光体の発光状態を変化させる発光制御手段とを備えることとする。
【０００７】
また、本発明の発光装置では、前記生体情報取得手段により、使用者の脈拍又は心拍を検知することとする。
【０００８】
また、本発明の発光装置では、前記生体情報取得手段により、使用者の呼吸を検知することとする。
【０００９】
また、本発明の発光装置では、前記生体情報取得手段により、使用者の血圧を検知することとする。
【００１０】
また、本発明の発光装置では、前記生体情報取得手段により、使用者の発汗を検知することとする。
【００１１】
また、本発明の発光装置では、前記生体情報取得手段により、使用者の手指表面から脈拍を検知することとする。
【００１２】
また、本発明の発光装置では、前記発光制御手段により、取得された生体情報に基づき前記発光体の照度を変化させることとする。
【００１３】
また、本発明の発光装置では、前記発光制御手段により、発光状態を変化させる制御を開始してからの経過時間に応じて、前記発光状態を変更することとする。
【００１４】
【発明の実施の形態】
本発明の発光装置は、発光体と、使用者の生体情報を取得する生体情報取得手段と、取得された生体情報に基づき前記発光体の発光状態を変化させる発光制御手段とを備えている。これにより、使用者の生体情報に基づいて発光体の発光状態を変化させることが可能となり、使用者毎にその個性や生理状態に応じた適切なヒーリング効果を得ることができる。
【００１５】
また、本発明の発光装置では、前記生体情報取得手段により、使用者の脈拍又は心拍を検知することが望ましい。生体情報として脈拍又は心拍を検知することにより、あたかも「使用者の心臓の鼓動に合わせたような感覚」で発光体の発光状態を変化させることが可能となり、使用者の生理状態に対応したより適切なヒーリング効果を得ることができる。
【００１６】
また、本発明の発光装置では、前記生体情報取得手段により、使用者の呼吸を検知することが望ましい。生体情報として呼吸を検知することにより、あたかも「使用者の呼吸に合わせたような感覚」で発光体の発光状態を変化させることが可能となり、使用者の生理状態に対応したより適切なヒーリング効果を得ることができる。
【００１７】
また、本発明の発光装置では、前記生体情報取得手段により、使用者の血圧を検知することが望ましい。生体情報として血圧を検知することにより、使用者の興奮状態に応じて発光体の発光状態を変化させることが可能となり、使用者の生理状態に対応したより適切なヒーリング効果を得ることができる。
【００１８】
また、本発明の発光装置では、前記生体情報取得手段により、使用者の発汗を検知することが望ましい。生体情報として発汗を検知することによっても、使用者の興奮状態に応じて発光体の発光状態を変化させることが可能となり、使用者の生理状態に対応したより適切なヒーリング効果を得ることができる。
【００１９】
また、本発明の発光装置では、前記生体情報取得手段により、使用者の手指表面から脈拍を検知することが望ましい。前記生体情報取得手段を、例えばフォトカプラ等の光学的な手段を用いて手指表面の毛細血管の脈動から脈拍を検知するような構成とすることで、斯かる検知手段を発光装置に一体的に組込んで、使用者が斯かる検知手段に手指を載置するだけで簡単に使用可能な発光装置とすることができる。
【００２０】
また、本発明の発光装置では、前記発光制御手段により、取得された生体情報に基づき前記発光体の照度を変化させることが望ましい。使用者の生体情報に基づいて発光体の照度（即ち、明るさ）を変化させることにより、所謂「使用者と共に灯りが息をしているような状態」を作り出すことが可能となり、更に生体情報として脈拍又は心拍を用いる場合や、呼吸を用いる場合には、「使用者の心臓の鼓動や呼吸に合わせて灯りが息をしているような状態」を作り出すことが可能となって、使用者の生理状態に対応したより適切なヒーリング効果を得ることができる。
【００２１】
また、本発明の発光装置では、前記発光制御手段により、発光状態を変化させる制御を開始してからの経過時間に応じて、前記発光状態を変更することが望ましい。これにより、例えば使用者の気持ちが高ぶっているような場合において、発光状態の制御開始からの経過時間に応じて、発光状態の変化の間隔を徐々に長くして気持ちの高ぶりを少しずつ抑えてゆく等、使用者の心理を適切な状態に誘導することができるようになる。
【００２２】
【実施例】
以下、本発明の実施例を、図面を用いて説明する。
【００２３】
図１は、本発明の発光装置を適用した卓上照明スタンド１の外観図である。卓上照明スタンド１は、卓上等に安定的に載置できるよう略円盤状に形成された基台部２と、この基台部２の上方に位置する発光部３と、この発光部３を支えるべく基台部２の上面略中央から上方に向けて一体的に延設された支柱部４とで構成されている。図中、発光部３には傘３ａが取付けられているが、この傘３ａの内側には、発光体１０として公知の電球１１（図３参照）が取付けられている。
【００２４】
また、基台部２には、その上面２ａの円周端の一部に、生態情報取得手段として使用者の脈拍を検知するための脈拍検知部２０が形成されている。脈拍検知部２０は、本実施例においては使用者の手指表面から脈拍を検知可能に構成されており、具体的には、基台部２の円周端側に向けて開口する開口部２ｃを備えた略半球形の小型フード２ｂを、基台部上面２ａに一体的に取付けることにより、使用者が図示の如く開口部２ｃから小型フード２ｂの内側に手指を挿入可能な構造となっている。図２は、脈拍検知部２０の鉛直方向の部分断面概略図であるが、同図に示すように、小型フード２ｂで覆われた基台部２には、使用者の手指表面から脈拍を検知するための公知のフォトカプラ２１が、その発光素子２１ａ及び受光素子２１ｂを基台部上面２ａと略同一面上に露呈して埋設されている。そして、使用者は、本卓上照明スタンド１を使用する際には、図１に示す如く小型フード２ｂ内にその手指を挿入し、図２に示す如くフォトカプラ２１上に手指を載置するだけで、後述するようにフォトカプラ２１による脈拍の検知が行われる。尚、小型フード２ｂを設けることは必須ではないが、本実施例のように生体情報の取得にフォトカプラを利用する場合は、このようなフードを設けることで、フォトカプラの発光素子及び受光素子の露呈面の保護や、脈拍検知時における外光侵入による誤検知の防止を図ることができる。
【００２５】
その他、基台部２には、一般的な外部交流電源に接続するための電源コード５、及び交流電源から卓上照明スタンド１への通電をＯＮ／ＯＦＦ操作する操作スイッチ６が、夫々付設されている。
【００２６】
次に、卓上照明スタンド１の内部回路構成の概要について、図３を用いて説明する。卓上照明スタンド１は、発光体１０と、生体情報取得手段としての脈拍検出部２０と、発光制御手段３０とを備えている。このうち、発光体１０は、本実施例においては公知の電球１１であって、後述する発光制御手段３０の制御動作によりリレー３１が閉じられることにより、交流電源１２からの電流が供給されて発光する。
【００２７】
次に、脈拍検知部２０は、使用者の手指表面から脈拍を検知すべく、発光素子（発光ダイオード）２１ａ及び受光素子（フォトトランジスタ）２１ｂを組合せてなる公知のフォトカプラ２１と、交流電源１２からの電流を発光素子２１ａに供給するための定電流源２２と、受光素子２１ｂのコレクタ側に設置された抵抗２３と、受光素子２１ｂのコレクタ側の電圧値変動を増幅する増幅器２４と、この増幅器２４の出力信号をパルスに変換するコンパレータ２５とを用いて構成されている。尚、脈拍検知部２０は、ＡＣ−ＤＣコンバータ１３を介して外部の交流電源１２に接続される。
【００２８】
斯かる構成の脈拍検知部２０は、前記操作スイッチ６（図３では省略）のＯＮ操作により、交流電源１２からの電流が前記ＡＣ−ＤＣコンバータ１３介して供給され、フォトカプラ２１の発光素子２１ａが発光する。この光を受光した受光素子２１ｂには、ベース電流及びコレクタ電流が流れ、コレクタ側に抵抗２３による電圧降下を生じる。ここで使用者がフォトカプラ２１上に手指を載置すると（図２参照）、使用者の心臓の拍動に伴う手指表面の毛細血管の脈動により、発光素子２１ａから受光素子２１ｂに伝わる散乱光の量が変動し、その結果受光素子２１ｂのコレクタ側の電圧値が変動する。斯かる電圧値の変動を前記増幅器２４によって増幅し、更に前記コンパレータ２５によってパルスに変換することで、脈拍検知部２０は、使用者の脈拍をパルスとして検知する。
【００２９】
次に、発光制御手段３０は、本実施例においては前記電球１１の照度を変化させるように構成され、より具体的には、使用者の脈拍に応じて電球１１を点滅させるように構成されている。即ち、発光制御手段３０は、前記電球１１と前記交流電源１３とを接続する回路中に設けられた常開型のリレー３１と、このリレー３１を閉じるように駆動信号を出力するＣＰＵ３２と、このＣＰＵ３２が実行する演算プログラムを格納したメモリ（不図示）とからなる。ＣＰＵ３２は、コンパレータ２５から使用者の脈拍パルスが入力されると、メモリ内の演算プログラムに従って、前記リレー３１に駆動信号を出力する。この駆動信号によってリレー３１が閉じられると、前記交流電源１２からの電流が前記電球１１に供給され、電球１１が点灯する。また、ＣＰＵ３２は、前記リレー３１に対して駆動信号の出力を開始した時点からの経過時間ｔを内蔵クロックを利用して計時しており、この経過時間ｔが予め設定した所定時間Ｔ（例えば、０．５秒）に達すると、前記リレー３１に対する駆動信号の出力を停止する。この結果、前記リレー３１は接点が開放され、電球１１は消灯する。その後、再び使用者の脈拍パルスが入力されると前記リレー３１に駆動信号を出力し、以下、同じ動作を繰り返す。このようにして、発光制御手段３０は、フォトカプラ２１を中心として構成された脈拍検知部２０が使用者の手指表面にて検知した脈拍に応じて、発光体１０としての電球１１を点滅させる（即ち、照度を変化させる）。
【００３０】
上述した発光制御手段３０の制御動作を、図４から図６のフローチャートを用いて説明する。図４は、前記ＣＰＵ３２が実行する演算プログラムのメインルーチンを表すフローチャートであって、ＣＰＵ３２は、使用者が卓上照明スタンド１の操作スイッチ６を操作して電源が投入されると、所定の初期化処理の後、一定の時間間隔（例えば、０．０５秒）で本メインルーチンを繰り返し実行する。
【００３１】
まず、ＣＰＵ３２は、ステップ１（Ｓ１と略す。以下同じ。）において、発光状態の制御（以下、発光制御という。）を実行している間はＯＮとされるフラグ（以下、発光制御フラグという。）を参照することで、既に発光制御が開始されているか否かを判断する。発光制御フラグがＯＮの場合（Ｓ１でＹＥＳの場合）は、Ｓ２からＳ４の処理をスキップしてＳ５へ進むが、発光制御フラグがＯＦＦの場合（Ｓ１でＮＯの場合）は、Ｓ２へ進む。
【００３２】
Ｓ２では、脈拍パルスが検知されたか否か（コンパレータ２５からの脈拍パルスの入力有無）が判断され、脈拍パルスが検知された場合（Ｓ２でＹＥＳの場合）には、脈拍に対応した発光制御を開始すべく、Ｓ３に進んで発光制御フラグをＯＮとする（これにより、次回以降のメインルーチン実行時には、Ｓ２からＳ４がスキップされる）。その後Ｓ４に進み、発光制御を開始した時点からの通算の経過時間ｉを計時すべく、経過時間ｉをリセットした後（ｉ←０として計時開始）、Ｓ５に進む。
【００３３】
一方、Ｓ２において脈拍パルスが検知されなかった場合（Ｓ２でＮＯの場合）は、その後の処理を全てスキップして今回の制御処理を終了する。即ち、卓上照明スタンド１の電源投入がなされても、実際に使用者の手指が生体情報取得手段２０たるフォトカプラ２１上に載置されて最初の脈拍パルスが検知されるまでは、ＣＰＵ３２は発光制御を開始せず、待機することとなる（待機状態）。
【００３４】
Ｓ５では、Ｓ４でリセットした経過時間ｉを、予め設定した所定時間Ｉ０（例えば、５分）と比較する。ここで、経過時間ｉが所定時間Ｉ０以内である場合（Ｓ５でＹＥＳの場合）は、Ｓ１０に進んで使用者の脈拍に対応して電球１１を点滅させる発光制御（以下、同調モードという。）を実行し、経過時間ｉが所定時間Ｉ０越えている場合（Ｓ５でＮＯの場合）は、Ｓ２０に進んで使用者の心理を適切な状態に誘導するように電球１１を点滅させる発光制御（以下、誘導モードという）を実行する。Ｓ１０及びＳ２０の各サブルーチンでは、夫々後述する演算処理によって、リレー３１に対する駆動信号の出力フラグ（以下、リレー駆動フラグという。）のＯＮ／ＯＦＦ処理を行い、その後Ｓ６に進む。
【００３５】
Ｓ６では、Ｓ１０又はＳ２０で設定したリレー駆動フラグに従ってリレー３１への駆動信号出力処理を行い（フラグＯＮで駆動信号出力、フラグＯＦＦで駆動信号停止）、その後Ｓ７に進んで通算の経過時間ｉをインクリメントして、今回の制御処理を終了する。
【００３６】
以上のメインルーチンを繰り返し実行することで、ＣＰＵ３２は、発光制御を開始してからの通算の経過時間ｉが所定時間Ｉ０に達するまでは、Ｓ１０の同調モードで電球１１の発光を制御し、経過時間ｉが所定時間Ｉ０を越えた後は、Ｓ２０の誘導モードで電球１１の発光を制御することになる。
【００３７】
次に、図５のフローチャートを用いて、Ｓ１０の同調モードを説明する。同調モードでは、使用者の脈拍パルスを検知したとき電球１１を点灯させ、その一定時間後に消灯させることにより、電球１１を点滅させる。
【００３８】
ＣＰＵ３２は、このサブルーチンが開始されると、まずＳ１１においてコンパレータ２５から脈拍パルスが検知されたか否か（コンパレータ２５からの脈拍パルスの入力有無）を判断し、脈拍パルスが検知された場合（Ｓ１１でＹＥＳの場合）は、この脈拍パルスに対応して電球１１を点灯させるべく、Ｓ１２に進んでリレー駆動フラグをＯＮとする。その後Ｓ１３に進み、リレー駆動フラグをＯＮとした時点からの経過時間ｔを計時すべく、経過時間ｔの値をリセットした後（ｔ←０として計時開始）、Ｓ１５に進む。
【００３９】
一方、Ｓ１１において脈拍パルスが検知されなかった場合（Ｓ１１でＮＯの場合）は、Ｓ１４に進んで前記リレー駆動フラグがＯＮか否かを判断する。ここで、リレー駆動フラグがＯＮの場合（Ｓ１４でＹＥＳの場合）は、前回以前の本ルーチン実行時に既に脈拍パルスが検知されて、現在は電球１１が点灯中であると考えられるので、そのままＳ１５に進む。
【００４０】
Ｓ１５では、Ｓ１３でリセットした経過時間ｔを、予め設定された所定時間Ｔ（例えば、０．５秒）と比較する。ここで、経過時間ｔが所定時間Ｔ以内である場合（Ｓ１５でＹＥＳの場合）は、電球１１の点灯を維持すべく、そのままＳ１６に進んで経過時間ｔの値をインクリメントした後、メインルーチンに戻る。一方、経過時間ｔが所定時間Ｔを超えている場合（Ｓ１５でＮＯの場合）は、電球１１を消灯させるべく、Ｓ１７に進んでリレー駆動フラグをＯＦＦとした後、後述するＳ１８及びＳ１９を経て、メインルーチンに戻る。
【００４１】
また、前記Ｓ１４でリレー駆動フラグが既にＯＦＦであった場合（Ｓ１４でＮＯの場合）は、前回以前の本ルーチン実行時に既に経過時間ｔが所定時間Ｔを越えており、且つ、再度の脈拍検知もなされていない状態であって、現在は電球１１を消灯中であると考えられるため、そのまま（リレー駆動フラグをＯＦＦに維持したまま）、後述するＳ１８及びＳ１９を経て、メインルーチンに戻る。
【００４２】
以上のように、ＣＰＵ３２は、同調モードにおいて、使用者の脈拍パルスを検知するとリレー駆動フラグをＯＮとし（Ｓ１１，Ｓ１２）、その後所定時間Ｔが経過するまではリレー駆動フラグのＯＮを維持する（Ｓ１４，Ｓ１５，Ｓ１６）。そして、所定時間Ｔが経過するとリレー駆動フラグをＯＦＦとし（Ｓ１５，Ｓ１７）、その後再び脈拍パルスが検知されるまでリレー駆動フラグのＯＦＦを維持する（Ｓ１１，Ｓ１４）。この結果、本実施例の卓上照明スタンド１は、使用者の脈拍に応じて電球１１が点滅することとなる。
【００４３】
尚、Ｓ１４でリレー駆動フラグがＯＦＦであった場合、及びＳ１７でリレー駆動フラグをＯＦＦとした後は、直ちにメインルーチンに戻っても良いが、本実施例の如く発光制御を開始してからの通算の経過時間ｉに応じて同調モードから誘導モード（後述）へのモード切替えを行うような場合、Ｓ１４又はＳ１７から直ちにメインルーチンに戻る構成であると、例えば使用者が同調モードの途中で手指をフォトカプラ２１から離して使用を中断したような場合でも、操作スイッチ６等により電源ＯＦＦとしない限り、経過時間ｉが所定時間Ｉ０に達すると誘導モードが開始されて、電球１１が勝手に点滅を始めてしまうため、使用者を驚かせかねない。
【００４４】
そこで、本実施例では、同調モードの実行中に使用者が使用を中断したような場合には、自動的に発光制御を終了して初期の待機状態となるよう、Ｓ１８及びＳ１９を設けている。即ち、まずＳ１８では、計時中の経過時間ｔを予め設定した所定時間Ｔｍａｘと比較する。ここで、所定時間Ｔｍａｘは拍動間隔として通常は考えられない程度の長時間に設定されている（例えば、５秒）。従って、経過時間ｔが所定時間Ｔｍａｘ以内の場合（Ｓ１８でＹＥＳの場合）は、次回の本ルーチン実行時に脈拍パルスが検知される可能性が残るため、Ｓ１６に進んで経過時間ｔをインクリメントした上でメインルーチンに戻ることとする。一方、経過時間ｔが所定時間Ｔｍａｘを超えている場合（Ｓ１８でＮＯの場合）には、使用者の手指はフォトカプラ２１上に載置されていない（使用を中断している）可能性が高いため、Ｓ１９に進んで発光制御フラグをＯＦＦとした上でメインルーチンに戻ることとする。このような処理ステップを設けることで、本実施例の如く通算の経過時間ｉに応じて制御モードを切替える場合でも、使用者が使用を中断していると考えられる場合には、制御モードの切替えを行うことなく当初の待機状態に戻すことができ、使用者を驚かせることはない。
【００４５】
次に、図６のフローチャートを用いて、Ｓ２０の誘導モードを説明する。誘導モードでは、使用者の心理を適切な状態に誘導すべく、発光制御を開始してからの経過時間に応じて、電球１１の点滅間隔を徐々に長くする。
【００４６】
ＣＰＵ３２は、このサブルーチンが開始されると、まずＳ２１において通算の経過時間ｉを所定時間Ｉ１（例えば、１０分）と比較する。経過時間ｉが所定時間Ｉ１以内である場合（Ｓ２１でＹＥＳの場合）は、Ｓ２２において前記所定時間Ｔの値をＴ１に更新し、その後Ｓ２６に進む。ここで、Ｔ１をＴと同等かやや大きい値（例えば、１秒）にしておくと、同調モードから誘導モードへの切替えが滑らかに行われる。一方、経過時間ｉが所定時間Ｉ１を越えている場合（Ｓ２１でＮＯの場合）は、Ｓ２３に進んで所定時間Ｉ２（例えば、１５分）と比較する。経過時間ｉが所定時間Ｉ２以内である場合（Ｓ２３でＹＥＳの場合）は、Ｓ２４において前記所定時間Ｔの値をＴ２に更新し、その後Ｓ２６に進む。このとき、Ｔ２はＴ１よりやや大きな値（例えば、１．５秒）とする。更に、経過時間ｉが所定時間Ｉ２を越えている場合（Ｓ２３でＮＯの場合）は、Ｓ２５において前記所定時間Ｔの値をＴ３に更新し、その後Ｓ２６に進む。このとき、Ｔ３はＴ２よりやや大きな値（例えば、２秒）とする。
【００４７】
Ｓ２６では、計時中の経過時間ｔ（同調モードにおける脈拍パルスの検知により計時開始）を、前記所定時間Ｔ（Ｔは、Ｔ１からＴ３の何れかの値に更新されている）と比較する。ここで、経過時間ｔが所定時間Ｔ以内の場合は、Ｓ２７において経過時間ｔをインクリメントした後、メインルーチンに戻る。一方、経過時間ｔが所定時間Ｔを越えている場合は、Ｓ２８に進んでリレー駆動フラグのＯＮ／ＯＦＦを切換る。即ち、リレー駆動フラグがＯＮであればＯＦＦに、ＯＦＦであればＯＮに変更する。その後、Ｓ２９において経過時間ｔをリセットした後（ｔ←０として再度計時開始）、メインルーチンに戻る。
【００４８】
以上のように、ＣＰＵ３２は、誘導モードにおいては、電球１１の点灯・消灯を所定時間Ｔで繰り返しつつ（Ｓ２６からＳ２９）、この所定時間Ｔの値を、発光制御を開始した時点からの通算の経過時間ｉに応じて段階的に大きな値に更新する（Ｓ２１からＳ２５）。この結果、本実施例の卓上照明スタンド１は、前記所定時間Ｉ（Ｉ１，Ｉ２）及び所定時間Ｔ（Ｔ１，Ｔ２，Ｔ３）の値を適宜設定することで、電球１１の点滅間隔を徐々に長くすることができる。尚、本実施例では所定時間Ｔの変更はＴ１からＴ３の３段階であるが、より多段階に変更することも可能である。また、各段階における変更量（Ｔ１とＴ２、Ｔ２とＴ３夫々の差）も、任意に設定すればよい。更にまた、所定時間Ｔの各値（Ｔ１，Ｔ２，Ｔ３）はそもそも固定値である必要はなく、例えばＣＵＰ３２により脈拍の周期を測定して各々一定値を加算して求めることとして、その時々の生理状態により一層適した点灯・消灯の繰り返しを得ることもできる。
【００４９】
このように構成された卓上照明スタンド１では、使用者が脈拍検知部２０（フォトカプラ２１）に手指を載置するだけで、手指表面から脈拍パルスが検知され、検知された脈拍パルスに対応して電球１１が、あたかも使用者の心臓の鼓動に合わせて息をするように点滅する。また、斯かる点滅の開始から所定時間Ｉ０が経過した後は、点滅の間隔が徐々に長くなるように発光状態が変更され、使用者の心理を適切な状態に誘導してゆく。この結果、使用者の生理状態に適したヒーリング効果が得られるものである。
【００５０】
次に、本発明の別の実施例を、図７により説明する。図７は、本発明の発光装置を適用した携帯型のヒーリングランプ１００の外観図である。
【００５１】
図７に示すように、ヒーリングランプ１００は、上面視で楕円形の本体１０１に、発光部１０２と生体情報取得手段としての脈拍検知部１０３が形成されている。発光部１０２は、本体１０１に埋設された発光体としての発光ダイオードを、透明アクリル板で覆うようにして形成されている。脈拍検知部１０３は、前記卓上照明スタンド１に用いたのと同様のフォトカプラを、本体１０１に埋設して形成されている。また、本体１０１は、図３で説明したのと同様の、ＣＰＵを含む回路（不図示）を内蔵している。そして、使用者が、図示しない操作スイッチ（例えば、本体１０１の底面に設けられている）を操作して電源を投入した後、図示の如く脈拍検知部１０３にその手指を載置すると、本体１０１に内蔵されたＣＰＵが図４から図６に示した制御フローチャートと同様の演算プログラムを実行する。その結果、発光部１０２が、まずは使用者の脈拍に対応して点滅し、その後所定時間が経過する毎に、点滅の間隔が徐々に長くなる。
【００５２】
このように、本発明の発光装置を、小型、軽量で携帯可能なヒーリングランプ１００として実施することにより、何時でも、場所を選ばずに使用することが可能となり、例えば、学生であれば試験の直前に使用して、会社員であれば大切な商談や会議のプレゼンテーション前に使用して、夫々気持ちを落ち着かせることができる。
【００５３】
尚、本発明の発光装置を実施した上記卓上照明スタンド及び上記携帯型ヒーリングランプでは、何れも生体情報として脈拍を検知しているが、本発明はこれに限定されるものではなく、心拍はもちろん、例えば呼吸、血圧、発汗等、使用者の個性や生理状態と相関のある種々の生体情報を用いることができる。これらの生体情報を取得する手段は、例えば心拍であれば使用者の胸部に電極を取付けて計測する等、何れも公知のセンサを利用することで実現可能である。
【００５４】
また、本発明の発光装置を実施した上記卓上照明スタンド及び上記携帯型ヒーリングランプでは、何れも発光状態の制御として発光体の照度を変化（点滅）させているが、本発明はこれに限定されるものではなく、例えば波長の異なる発光体を複数備えておき、取得した生体情報に基づきこれら複数の発光体を切替えることで、発光体の色を変化させるように構成することも可能である。この場合、例えば青色や紫色等、心を落ち着かせる効果があるといわれる色の発光体を用いることで、高いヒーリング効果を得ることができると考えられる。更に、発光体の照度を変化させる場合も、本実施例の如くリレーを用いて点滅させるだけでなく、トライアックを用いて、メモリ内に例えば１／ｆゆらぎに相当する時系列データテーブルを用意すると共に経過時間に従ってこのデータテーブルを順次読出し、且つ、脈拍に対応した点灯・消灯を掛け合わせてトライアックを制御することにより、１／ｆゆらぎを含む微妙な照度変化を行わせる等、種々の変形が可能である。
【００５５】
また、本発明の発光装置を実施した上記卓上照明スタンド及び上記携帯型ヒーリングランプは、何れも夫々の実施例の構成に限定されるものではなく、使用目的や使用場所によって様々な態様を採り得るものである。例えば寝室で使用する照明スタンドあれば、装飾性の強いデザインとしつつ発光体の照度は弱いものを採用してほのぼのとした雰囲気を作り出すようなことが考えられる。また、例えば書斎で使用する照明スタンドであれば、本発明によるヒーリングランプの機能とは別に、本来のデスクスタンドとしての機能（本を読むのに不都合のない明るさの発光体等）を持たせ、両機能を切替えて使用可能とすることが考えられる。
【００５６】
【発明の効果】
以上説明してきたように、本発明の発光装置は、発光体と、使用者の生体情報を取得する生体情報取得手段と、取得された生体情報に基づき前記発光体の発光状態を変化させる発光制御手段とを備えたので、使用者の生体情報に基づいて発光体の発光状態を変化させることが可能となり、使用者毎にその個性や生理状態に応じた適切なヒーリング効果を得ることができる。
【００５７】
また、前記生体情報取得手段により、使用者の脈拍又は心拍を検知するように構成した場合は、あたかも「使用者の心臓の鼓動に合わせたような感覚」で発光体の発光状態を変化させることが可能となり、使用者の生理状態に対応したより適切なヒーリング効果を得ることができる。
【００５８】
また、前記生体情報取得手段により、使用者の呼吸を検知するように構成した場合は、あたかも「使用者の呼吸に合わせたような感覚」で発光体の発光状態を変化させることが可能となり、使用者の生理状態に対応したより適切なヒーリング効果を得ることができる。
【００５９】
また、前記生体情報取得手段により、使用者の血圧を検知するように構成した場合は、使用者の興奮状態に応じて発光体の発光状態を変化させることが可能となり、使用者の生理状態に対応したより適切なヒーリング効果を得ることができる。
【００６０】
また、前記生体情報取得手段により、使用者の発汗を検知するように構成した場合にも、使用者の興奮状態に応じて発光体の発光状態を変化させることが可能となり、使用者の生理状態に対応したより適切なヒーリング効果を得ることができる。
【００６１】
また、前記生体情報取得手段により、使用者の手指表面から脈拍を検知するように構成した場合は、斯かる検知手段を発光装置に一体的に組込んで、使用者が斯かる検知手段に手指を載置するだけで簡単に使用可能な発光装置とすることができる。
【００６２】
また、前記発光制御手段により、生体情報に基づき発光体の照度を変化させるように構成した場合は、使用者と共に灯りが息をしているような状態を作り出すことが可能となり、更に生体情報として脈拍又は心拍を用いる場合や、呼吸を用いる場合には、使用者の心臓の鼓動や呼吸に合わせて灯りが息をしているような状態を作り出すことが可能となって、使用者の生理状態に対応したより適切なヒーリング効果を得ることができる。
【００６３】
また、前記発光制御手段により、発光状態を変化させる制御を開始してからの経過時間に応じて前記発光状態を変更するように構成した場合は、例えば使用者の気持ちが高ぶっているような場合において、発光状態の制御開始からの経過時間に応じて発光状態の変化の間隔を徐々に長くして気持ちの高ぶりを徐々に抑えてゆく等、使用者の心理を適切な状態に誘導することができるようになる。
【図面の簡単な説明】
【図１】本発明を実施した卓上照明スタンドの外観図
【図２】本発明を実施した卓上照明スタンドの部分断面概略図
【図３】本発明を実施した卓上照明スタンドの内部回路構成概略図
【図４】本発明を実施した卓上照明スタンドの発光制御（メインルーチン）を表す制御フローチャート
【図５】本発明を実施した卓上照明スタンドの発光制御（サブルーチン）を表す制御フローチャート
【図６】本発明を実施した卓上照明スタンドの発光制御（サブルーチン）を表す制御フローチャート
【図７】本発明を実施した携帯型ヒーリングランプの外観図
【符号の説明】
１  卓上照明スタンド
２  基台部
２ａ  基台部上面
２ｂ  小型フード
２ｃ  開口部
３  発光部
３ａ  傘
４  支柱部
５  電源コード
６  操作スイッチ
１０  発光体
１１  電球
１２  交流電源
１３  ＡＣ−ＤＣコンバータ
２０  脈拍検知部
２１  フォトカプラ
２１ａ  発光素子
２１ｂ  受光素子
２２  定電流源
２３  抵抗
２４  増幅器
２５  コンパレータ
３０  発光制御手段
３１  リレー
３２  ＣＰＵ
１００    携帯型ヒーリングランプ
１０１    本体
１０２    発光部
１０３    脈拍検知部
【図１】
2004259487.tif 000003
【図２】
2004259487.tif 000004
【図３】
2004259487.tif 000005
【図４】
2004259487.tif 000006
【図５】
2004259487.tif 000007
【図６】
2004259487.tif 000008
【図７】
2004259487.tif 000009